(57)【要約】      （修正有）【課題】指針軸の外径を小さく形成することができ、かつ針本体を良好に成型することができる指針およびそれを備えた時計を提供する。【解決手段】合成樹脂によって形成された針本体１６と、金属で形成されて針本体１６の回転中心に設けられた針取付部１７と、を備え、針取付部１７は、針本体１６が固定される大径部１８と、この大径部１８に同一軸上に設けられて副針軸１４が取り付けられる小径部１９と、を備えている。従って、針取付部１７の小径部１９によってこれに取り付けられる副針軸１４の外径を小さく形成することができ、かつ針取付部１７の大径部１８によって針取付部１７を成型用金型内に確実に固定してインサート成型することができるので、針本体１６を良好に成型することができる。【選択図】図３
2018146478.tif 000002
【特許請求の範囲】
【請求項１】
合成樹脂によって形成された針本体と、
合成樹脂よりも硬い素材で形成されて前記針本体の回転中心に設けられた針取付部と、
を備え、
前記針取付部は、前記針本体が固定され、かつ位置決め部を備える大径部と、前記大径部に同一軸上に設けられて指針軸が取り付けられる小径部と、を備えていることを特徴とする指針。
【請求項２】
請求項１に記載の指針において、前記針取付部の前記大径部は、その外径が前記針本体の厚みとほぼ同じか、それよりも大きく形成され、前記針取付部の前記小径部は、その外径が前記針本体の厚みよりも小さく形成されていることを特徴とする指針。
【請求項３】
請求項１または請求項２に記載の指針において、前記針取付部の前記大径部の外周には、前記針本体を固定するための針固定部が設けられていることを特徴とする指針。
【請求項４】
請求項１〜請求項３のいずれかに記載の指針において、前記針本体と前記針取付部とはインサート成型によって一体に形成されていることを特徴とする指針。
【請求項５】
請求項４に記載の指針において、前記針取付部の前記大径部には、成型用金型に対して前記針取付部を固定するための金型固定部が、前記小径部の外径よりも大きく形成されていることを特徴とする指針。
【請求項６】
請求項５に記載の指針において、前記金型固定部は、前記成型用金型の位置決めピンが挿入する凹部形状に形成され、前記凹部形状の内径が前記小径部の外径よりも大きく形成されていることを特徴とする指針。
【請求項７】
請求項１〜請求項６のいずれかに記載された指針を備えていることを特徴とする時計。
【発明の詳細な説明】
【技術分野】
【０００１】
この発明は、腕時計などの時計に用いられる指針およびそれを備えた時計に関する。
【背景技術】
【０００２】
例えば、腕時計の指針においては、特許文献１に記載されているように、合成樹脂製の針本体と、この針本体の回転中心部に設けられる金属製の針取付部とを、インサート成型によって一体に形成した構造のものが知られている。
【先行技術文献】
【特許文献】
【０００３】
【特許文献１】特開２０１５−１１４２９５号公報
【発明の概要】
【発明が解決しようとする課題】
【０００４】
このような腕時計の指針では、針取付部が筒状に形成され、その内部に指針軸が挿入して取り付けられると共に、インサート成型時に成型用金型の位置決めピンが挿入して針取付部を成型用金型内に固定させるために、針取付部の内径が針本体の厚みよりも大きく形成されている。
【０００５】
すなわち、この指針は、成型用金型内に針取付部を配置させてインサート成型する際に、成型用金型内に注入される合成樹脂の注入圧によって針取付部が成型用金型内で動かないように、筒状の針取付部の内部に位置決めピンを差し込んで、針取付部を成型用金型内に固定する必要がある。
【０００６】
このため、この指針では、針取付部の内径を小さくすることができないため、針取付部に挿入する指針軸の外径を針取付部の内径と同じ大きさに形成しなければならず、指針軸の外径が大きくなり、指針軸を細く形成することができないという問題がある。
【０００７】
この発明が解決しようとする課題は、指針軸の外径を小さく形成でき、かつ針本体を良好に成型することができる指針およびそれを備えた時計を提供することである。
【課題を解決するための手段】
【０００８】
この発明は、合成樹脂によって形成された針本体と、合成樹脂よりも硬い素材で形成されて前記針本体の回転中心に設けられた針取付部と、を備え、前記針取付部は、前記針本体が固定され、かつ位置決め部を備える大径部と、前記大径部に同一軸上に設けられて指針軸が取り付けられる小径部と、を備えていることを特徴とする指針である。
【発明の効果】
【０００９】
この発明によれば、針取付部の小径部によってこれに取り付けられる指針軸の外径を小さく形成することができ、かつ針取付部の大径部によって針取付部を成型用金型内に確実に固定してインサート成型することができるので、針本体を良好に成型することができる。
【図面の簡単な説明】
【００１０】
【図１】この発明を腕時計に適用した一実施形態を示した拡大正面図である。
【図２】図１に示された腕時計における副表示部の副針を示した拡大正面図である。
【図３】図２に示された副針の断面を示し、（ａ）はそのＡ−Ａ矢視における拡大断面図、（ｂ）はそのＢ−Ｂ矢視における拡大断面図である。
【図４】図２に示された副針の針取付部を示し、（ａ）はその拡大正面図、（ｂ）はそのＣ−Ｃ矢視における拡大断面図である。
【図５】図２に示された副針を成型用金型で成型する状態を示した拡大断面図である。
【発明を実施するための形態】
【００１１】
以下、図１〜図５を参照して、この発明を腕時計に適用した一実施形態について説明する。
この腕時計は、図１に示すように、腕時計ケース１を備えている。この腕時計ケース１の１２時側と６時側との各側部には、バンド取付部２がそれぞれ設けられている。また、この腕時計ケース１の３時側の側部には、竜頭などのスイッチ操作部３が設けられている。さらに、この腕時計ケース１の２時側、４時側、８時側、および１０時側の各側部には、押釦スイッチ４がそれぞれ設けられている。
【００１２】
この腕時計ケース１の内部には、図１に示すように、時計モジュール５が設けられている。この時計モジュール５は、その上面に文字板６が配置され、この文字板６の上面における外周部に見切り部材７が配置されるように構成されている。この場合、時計モジュール５は、現在時刻を指示表示する主表示部８と、曜日を指示表示する副表示部９と、日付などの情報を表示する表示部１０と、を備えている。
【００１３】
主表示部８は、図１に示すように、文字板６の中心部に設けられた指針軸１１の上端部が文字板６の上方に突出し、この突出した指針軸１１の上端部に秒針１２ａ、分針１２ｂ、時針１２ｃなどの指針１２が取り付けられるように構成されている。これにより、主表示部８は、指針軸１１が輪列機構（図示せず）によって回転して、指針１２を文字板６の上方で運針させることにより、時刻を指示表示するように構成されている。
【００１４】
副表示部９は、図１に示すように、文字板６の中心部と文字板６の１２時側の外周部との間に設けられた円形状の孔である副表示領域１３の中心部に副針軸１４が設けられ、この副針軸１４の上端部１４ａ（図３参照）に副針１５が取り付けられるように構成されている。これにより、副表示部９は、副針軸１４が輪列機構（図示せず）によって回転して、副針１５を副表示領域１３内で運針させることにより、曜日を指示表示するように構成されている。
【００１５】
表示部１０は、図１に示すように、液晶表示パネルやＥＬ（エレクトロルミネッセンス）表示パネルなどの平面型の表示パネルを備え、日付などの情報を電気光学的に表示するものである。この表示部１０は、文字板６の中心部と文字板６の３時側の外周部との間に設けられた表示窓部１０ａの下側に対応して配置され、表示した日付などの情報が表示窓部１０ａを通して上方から見えるように構成されている。なお、表示部１０は、文字板６の下側において回転移動する日車であって、日付などの情報が表示窓部１０ａを通して上方から見えるように構成されていても良い。
【００１６】
ところで、この副表示部９の副針１５は、図２および図３に示すように、合成樹脂製の針本体１６と、この針本体１６の回転中心に設けられたハカマと称する金属製の針取付部１７と、を備え、これらがインサート成型によって一体に形成されている。この場合、針本体１６は、ポリカーボネート（ＰＣ）やＡＢＳ樹脂などの合成樹脂によって、全体がほぼ円板状に形成されたディスク針である。
【００１７】
この針本体１６は、図２に示すように、円板状の領域内に曜日を指示する指示部１６ａが設けられている。この指示部１６ａは、細長いほぼ二等辺三角形状に形成され、このほぼ二等辺三角形状の中心部が針本体１６の回転中心つまり円板状の領域の中心部に位置するように形成されている。
【００１８】
針取付部１７は、図２〜図４に示すように、リン青銅や黄銅またはアルミニウムなどの金属によって形成されている。また、針取付部１７は、金属に限らず、合成樹脂よりも硬い素材であれば良い。この針取付部１７は、針本体１６が固定される大径部１８と、この大径部１８に同一軸上に設けられて副針軸１４が取り付けられる小径部１９と、を備えている。この場合、大径部１８は、その外径が針本体１６の厚みＴとほぼ同じか、それよりも大きく形成されている。
【００１９】
すなわち、大径部１８は、図４（ａ）および図４（ｂ）に示すように、全体がほぼ筒状に形成されている。この筒状の大径部１８は、その外形が四角形状に形成され、この四角形の中心部に位置決め部である金型固定部２０が、小径部１９の外径よりも大きく形成された構成になっている。この金型固定部２０は、針本体１６を後述する成型用金型２３で成型する際に、その成型用金型２３の内部に針取付部１７を固定するためのものである。
【００２０】
すなわち、この金型固定部２０は、図４（ａ）および図４（ｂ）に示すように、大径部１８の内部に設けられた円形穴２０ａと、この円形穴２０ａの下面に設けられた底部２０ｂと、を備え、全体が凹部形状に形成されている。この場合、金型固定部２０は、その円形穴２０ａの内径が、大径部１８の外径よりも小さく、かつ針本体１６の厚みＴとほぼ同じか、それよりも大きく、例えば０．７ｍｍ程度の大きさで形成されている。
【００２１】
また、この大径部１８は、図２および図３に示すように、その上下方向の長さ（高さ）が針本体１６の厚みＴと同じ大きさに形成されている。この場合、大径部１８の外周部には、針本体１６を固定するための針固定部２１が設けられている。
【００２２】
この針固定部２１は、図２〜図４に示すように、大径部１８の外周部における上端部と下端部とにその外周側に向けて突出して設けられた一対の円板状の鍔状部である。これにより、この針固定部２１は、一対の鍔状部間に針本体１６が食込んで形成されることにより、針本体１６を大径部１８の外周部に固定するように形成されている。
【００２３】
一方、小径部１９は、図２〜図４に示すように、全体がほぼ円筒状に形成され、大径部１８の金型固定部２０における底部２０ｂの下面に、大径部１８と同一軸上で設けられている。この小径部１９は、その上下方向の長さが、大径部１８の上下方向の長さ、つまり針本体１６の厚みＴとほぼ同じ大きさで形成されている。
【００２４】
また、この小径部１９は、図２〜図４に示すように、その外径が針本体１６の厚みＴよりも小さく、かつ大径部１８の金型固定部２０における円形穴２０ａの内径よりも小さく、例えば円形穴２０ａの内径のほぼ１／３程度の大きさで形成されている。すなわち、この小径部１９は、その円筒状の内部に副針軸１４の上端部１４ａが圧入によって嵌合するものであり、その内径が副針軸１４の上端部１４ａの外径とほぼ同じ大きさ、例えば、０．２ｍｍ程度の大きさで形成されている。
【００２５】
次に、このような副針１５をインサート成型によって成型する場合について説明する。
この場合、成型用金型２３は、図５に示すように、下金型２４と上金型２５とスライドコア２６とを備えている。下金型２４と上金型２５とは、これらを重ねわせた際に、その内部に副針１５と同じ形状のキャビティと称する空洞部２７が形成されるように構成されている。
【００２６】
すなわち、下金型２４と上金型２５との内部に形成される空洞部２７は、図５に示すように、副針１５を上下反転させた形状と同じ形状に形成されている。この場合、下金型２４の内部には、スライドコア２６が上下方向に貫通して設けられている。このスライドコア２６は、円筒状のガイド筒部２６ａと、このガイド筒部２６ａ内にスライド可能に配置された位置決めピン２６ｂと、を備えている。このスライドコア２６は、副針１５の針取付部１７が位置する空洞部２７に対応する状態で、下金型２４内に設けられている。
【００２７】
すなわち、ガイド筒部２６ａは、図５に示すように、その外径が針取付部１７の大径部１８の外径よりも少し大きく形成され、内径が位置決めピン２６ｂの外径と同じ大きさで形成されている。位置決めピン２６ｂは、その外径が針取付部１７の小径部１９の外径よりも大きく、かつ針取付部１７の大径部１８における金型固定部２０の円形穴２０ａの内径と同じ大きさに形成されている。これにより、位置決めピン２６ｂは、その強度が確保されている。
【００２８】
このため、この位置決めピン２６ｂは、図５に示すように、その先端部が金型固定部２０の円形穴２０ａ内に挿入されることにより、針取付部１７を成型用金型２３内の空洞部２７内に固定するように構成されている。この場合、位置決めピン２６ｂは、その先端部が金型固定部２０の円形穴２０ａ内に挿入されて金型固定部２０の底部２０ｂに押し付けられることにより、金型固定部２０の底部２０ｂを上金型２５の内面に押し付けて、針取付部１７を成型用金型２３内の空洞部２７内に固定するように構成されている。
【００２９】
また、上金型２５の内部には、図５に示すように、針取付部１７の小径部１９が挿入して配置される挿入穴２５ａが設けられている。また、この上金型２５には、成型用金型２３内の空洞部２７内に樹脂を注入するためのゲート２５ｂが上金型２５の上面から内部の空洞部２７に亘って設けられている。
【００３０】
このような成型用金型２３で副針１５を成型する場合には、まず、下金型２４と上金型２５とを開いて、上金型２５の挿入穴２５ａに針取付部１７の小径部１９を挿入させ、この状態で下金型２４と上金型２５とを重ね合わせる。すると、成型用金型２３の空洞部２７内に針取付部１７が配置される。このときには、針取付部１７の大径部１８が下金型２４のスライドコア２６と上金型２５との間に配置される。
【００３１】
この状態で、スライドコア２６の位置決めピン２６ｂを針取付部１７の大径部１８における金型固定部２０の円形穴２０ａ内に挿入させる。このときには、スライドコア２６のガイド筒部２６ａによって位置決めピン２６ｂがガイドされながら針取付部１７の大径部１８に向けてスライドし、この位置決めピン２６ｂの先端部が針取付部１７の大径部１８における金型固定部２０の円形穴２０ａ内に差し込まれる。
【００３２】
このときには、位置決めピン２６ｂは、その外径が針取付部１７の大径部１８における金型固定部２０の円形穴２０ａの内径と同じ大きさ、つまり針取付部１７の小径部１９の外径よりも大きく形成されていることにより、位置決めピン２６ｂの強度が確保されている。このため、位置決めピン２６ｂの先端部が針取付部１７の大径部１８における金型固定部２０の円形穴２０ａ内に差し込まれると、針取付部１７の大径部１８が位置決めピン２６ｂの先端部によって上金型２５に押し付けられる。
【００３３】
これにより、上金型２５の挿入穴２５ａに針取付部１７の小径部１９が挿入された状態で、位置決めピン２６ｂによって針取付部１７の大径部１８における金型固定部２０の底部２０ｂが上金型２５に押し付けられる。このため、針取付部１７は、位置決めピン２６ｂによって成型用金型２３内の空洞部２７内に正確に位置規制されて強固に固定される。
【００３４】
そして、上金型２５のゲート２５ｂから樹脂を注入させて成型用金型２３の空洞部２７内に送り込む。このときには、針取付部１７が成型用金型２３の空洞部２７内に位置決めピン２６ｂによって固定されているため、空洞部２７内に送り込まれた樹脂の注入圧によって針取付部１７が成型用金型２３の空洞部２７内で動いたり位置ずれしたりすることがない。
【００３５】
これにより、空洞部２７内に樹脂が良好に注入されて針本体１６が成型される。このときには、針取付部１７の大径部１８の外周部における上端部と下端部とにそれぞれ設けられた針固定部２１の一対の鍔状部間に樹脂が食い込むので、針本体１６が針取付部１７の大径部１８に確実にかつ強固に固定される。これにより、針本体１６と針取付部１７とが一体に形成された副針１５が形成される。
【００３６】
そして、この副針１５を成型用金型２３内から取り出す。このときには、まず、下金型２４に設けられたスライドコア２６の位置決めピン２６ｂを引き出して、位置決めピン２６ｂの先端部を針取付部１７の大径部１８における金型固定部２０の円形穴２０ａ内から抜き出す。この状態で、下金型２４と上金型２５とを離型し、上金型２５の挿入穴２５ａに挿入されている針取付部１７の小径部１９を抜き出す。これにより、副針１５を成型用金型２３内から取り出すことができる。
【００３７】
次に、このように形成された副針１５を副表示部９の副針軸１４に取り付けて使用する場合について説明する。
この場合には、時計モジュール５に組み込まれて副表示部９の副表示領域１３の中心部に設けられた副針軸１４の上端部１４ａに、副針１５の針取付部１７の小径部１９を装着させる。すなわち、針取付部１７の小径部１９に副針軸１４の上端部１４ａを圧入によって挿入させることにより、副針軸１４の上端部１４ａに針取付部１７の小径部１９が取り付けられる。
【００３８】
このときには、副針１５の針取付部１７における小径部１９の内径が針取付部１７の大径部１８における金型固定部２０の円形穴２０ａの内径よりも大幅に小さく、例えば、金型固定部２０の円形穴２０ａの内径が０．７ｍｍ程度であるのに対して、小径部１９の内径が０．２ｍｍ程度と小さく形成されている。このため、副針軸１４の上端部１４ａの外径を小さく形成して、副針軸１４の全体を細く形成することができる。
【００３９】
これにより、副針１５を副針軸１４に取り付けて運針させる際には、副針軸１４が細く形成されていることにより、副針軸１４の歯車を輪列機構（いずれも図示せず）によって回転させるときの歯車の回転モーメントが小さくなる。このため、輪列機構を駆動するステップモータ（図示せず）の電力消費が少なく、省電力化が図れる。
【００４０】
このように、この腕時計の副針１５によれば、合成樹脂によって形成された針本体１６と、金属で形成されて針本体１６の回転中心に設けられた針取付部１７と、を備え、この針取付部１７は、針本体１６が固定される大径部１８と、この大径部１８に同一軸上に設けられて副針軸１４が取り付けられる小径部１９と、を備えていることにより、副針軸１４の外径を小さく形成することができると共に、針本体１６を良好に成型することができる。
【００４１】
すなわち、この腕時計の副針１５では、副針軸１４が取り付けられる針取付部１７の小径部１９の外径を、針本体１６が固定される大径部１８の外径よりも大幅に小さく形成することができるので、針取付部１７の小径部１９に取り付けられる副針軸１４の外径を最小限に小さく形成することができ、これにより副針軸１４を極めて細く形成することができる。
【００４２】
また、この腕時計の副針１５では、針取付部１７の大径部１８の外径を針取付部１７の小径部１９の外径よりも大幅に大きく形成することができるので、大径部１８の外周に針本体１６を確実にかつ良好に固定することができると共に、大径部１８によって針取付部１７を成型用金型２３内に確実に固定することができ、これにより針取付部１７に針本体１６をインサート成型によって良好に形成することができる。
【００４３】
この場合、針取付部１７の大径部１８は、その外径が針本体１６の厚みＴとほぼ同じか、それよりも大きく形成されているので、この大径部１８によって針取付部１７を成型用金型２３内に確実に固定することができる。また、針取付部１７の小径部１９は、その外径が針本体１６の厚みＴよりも小さく形成されているので、小径部１９の外径を大径部１８の外径よりも最小限に小さく形成することができ、これにより副針軸１４を極めて細く形成することができる。
【００４４】
また、この腕時計の副針１５では、針取付部１７の大径部１８の外周に針本体１６を固定するための針固定部２１が設けられていることにより、この針固定部２１によって針本体１６を針取付部１７に確実に固定させることができる。すなわち、この針固定部２１は、大径部１８の外周部における上端部と下端部とにその外周側に向けて突出して設けられた一対の円板状の鍔状部であるから、これら一対の鍔状部間に針本体１６を食込ませて形成することができ、これにより針本体１６を大径部１８の外周部に確実にかつ強固に固定することができる。
【００４５】
この場合、針取付部１７の大径部１８は、その外周が四角形に形成されているので、針本体１６を大径部１８の外周部に固定した際に、大径部１８に対して針本体１６が回転しないように、確実にかつ良好に固定することができ、これによっても針本体１６を大径部１８の外周部に確実にかつ強固に固定することができる。
【００４６】
また、この腕時計の副針１５では、針本体１６と針取付部１７とをインサート成型によって一体に形成していることにより、生産性が良く、大量生産ができるので、低コスト化を図ることができる。すなわち、副針１５を成型する場合には、成型用金型２３の空洞部２７内に金属製の針取付部１７を配置し、この状態で成型用金型２３の空洞部２７内に樹脂を注入することにより、針本体１６と針取付部１７とを一体に形成することができる。
【００４７】
この場合、針取付部１７の大径部１８には、成型用金型２３に対して針取付部１７を固定するための金型固定部２０が、小径部１９の外径よりも大きく形成されていることにより、成型用金型２３内に樹脂を注入する際、その樹脂の注入圧によって針取付部１７が成型用金型２３内で動いたり位置ずれしたりしないように、針取付部１７を成型用金型２３内に確実にかつ良好に固定することができる。
【００４８】
すなわち、この金型固定部２０は、成型用金型２３のスライドコア２６の位置決めピン２６ｂが挿入する凹部形状に形成され、その凹部形状の内径が小径部１９の外径よりも大きく形成されていることにより、位置決めピン２６ｂの外径を小径部１９の外径よりも大きく形成することができるので、位置決めピン２６ｂの強度を確保することができる。
【００４９】
このため、副針１５では、金属製の針取付部１７を成型用金型２３内に配置する際に、位置決めピン２６ｂを針取付部１７の大径部１８に形成された凹部形状の金型固定部２０に挿入させることができるので、位置決めピン２６ｂによって針取付部１７を成型用金型２３内に確実にかつ強固に固定することができる。
【００５０】
この場合、凹部形状の金型固定部２０は、大径部１８の内部に小径部１９の外径よりも大きく形成された円形穴２０ａと、この円形穴２０ａの下面に設けられた底部２０ｂと、を備えているので、位置決めピン２６ｂを針取付部１７の大径部１８に形成された凹部形状の金型固定部２０の円形穴２０ａに確実にかつ良好に挿入させることができるので、位置決めピン２６ｂによって針取付部１７を成型用金型２３内に確実にかつ強固に固定することができる。
【００５１】
また、この凹部形状の金型固定部２０は、位置決めピン２６ｂの先端部が凹部形状の金型固定部２０の円形穴２０ａに挿入された際に、位置決めピン２６ｂの先端部を凹部形状の金型固定部２０の底部２０ｂに押し当てることができ、これにより金型固定部２０の底部２０ｂを上金型２５の内面に押し付けることができるので、針取付部１７を成型用金型２３内に確実にかつ強固に固定することができる。
【００５２】
なお、上述した実施形態では、副針１５の針取付部１７における大径部１８の金型固定部２０を凹部形状に形成した場合について述べたが、この発明は必ずしも金型固定部を凹部形状に形成する必要はなく、例えば、金型固定部を大径部１８から軸方向に突出する突起部であっても良い。
【００５３】
この場合にも、金型固定部である突起部は、その外径が、大径部１８の外径と同じか、それよりも少し小さく形成され、かつ針取付部１７の小径部１９の外径よりも十分に大きく形成されていれば良い。このように構成すれば、成型用金型２３にスライドコア２６を設ける必要がないので、成型用金型２３を簡素化することができる。
【００５４】
また、上述した実施形態では、副表示部９の副針１５に適用した場合について述べたが、この発明はこれに限らず、例えば、主表示部８の秒針１２ａにも適用することができる。すなわち、秒針１２ａを合成樹脂製の針本体と金属製の針取付部とで構成し、針取付部を副針１５の針取付部１７と同様に形成すれば良い。
【００５５】
この場合、秒針１２ａの針本体は、細長い形状に形成されている。また、指針軸１１は、図示しないが、時針１２ｃが取り付けられる円筒状の時針軸と、この時針軸内に回転自在に設けられて上端部に分針１２ｂが取り付けられる円筒状の分針軸と、この分針軸内に回転自在に設けられて上端部に秒針１２ａが取り付けられる秒針軸と、を備え、これらが同心軸状に設けられている。
【００５６】
このような秒針１２ａにおいても、副針１５と同様、指針軸１１の秒針軸の外径を小さく形成することができると共に、針本体を良好に成型することができる。すなわち、この秒針１２ａにおいても、指針軸１１の秒針軸が取り付けられる針取付部の小径部の外径を、針本体が取り付けられる大径部の外径よりも小さく形成することができるので、針取付部の小径部に取り付けられる指針軸１１の秒針軸の外径を小さく形成することができる。
【００５７】
また、この秒針１２ａでは、針取付部の大径部の外径を針取付部の小径部の外径よりも大幅に大きく形成することができるので、この大径部によって針取付部を成型用金型内に確実に固定することができ、これにより針本体と針取付部とをインサート成型によって良好に形成することができる。
【００５８】
さらに、上述した実施形態およびその各変形例では、指針式の腕時計に適用した場合について述べたが、この発明は必ずしも指針式の腕時計である必要はなく、例えばトラベルウオッチ、目覚まし時計、置き時計、掛け時計などの各種の指針式の時計に広く適用することができる。
【００５９】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００６０】
（付記）
請求項１に記載の発明は、合成樹脂によって形成された針本体と、合成樹脂よりも硬い素材で形成されて前記針本体の回転中心に設けられた針取付部と、を備え、前記針取付部は、前記針本体が固定され、かつ位置決め部を備える大径部と、前記大径部に同一軸上に設けられて指針軸が取り付けられる小径部と、を備えていることを特徴とする指針である。
【００６１】
請求項２に記載の発明は、請求項１に記載の指針において、前記針取付部の前記大径部は、その外径が前記針本体の厚みとほぼ同じか、それよりも大きく形成され、前記針取付部の前記小径部は、その外径が前記針本体の厚みよりも小さく形成されていることを特徴とする指針である。
【００６２】
請求項３に記載の発明は、請求項１または請求項２に記載の指針において、前記針取付部の前記大径部の外周には、前記針本体を固定するための針固定部が設けられていることを特徴とする指針である。
【００６３】
請求項４に記載の発明は、請求項１〜請求項３のいずれかに記載の指針において、前記針本体と前記針取付部とはインサート成型によって一体に形成されていることを特徴とする指針である。
【００６４】
請求項５に記載の発明は、請求項４に記載の指針において、前記針取付部の前記大径部には、成型用金型に対して前記針取付部を固定するための金型固定部が、前記小径部の外径よりも大きく形成されていることを特徴とする指針である。
【００６５】
請求項６に記載の発明は、請求項５に記載の指針において、前記金型固定部は、前記成型用金型の位置決めピンが挿入する凹部形状に形成され、前記凹部形状の内径が前記小径部の外径よりも大きく形成されていることを特徴とする指針である。
【００６６】
請求項７に記載の発明は、請求項１〜請求項６のいずれかに記載された指針を備えていることを特徴とする時計である。
【符号の説明】
【００６７】
１  腕時計ケース
５  時計モジュール
６  文字板
８  主表示部
９  副表示部
１１  指針軸
１２  指針
１２ａ  秒針
１２ｂ  分針
１２ｃ  時針
１４  副針軸
１４ａ  上端部
１５  副針
１６  針本体
１７  針取付部
１８  大径部
１９  小径部
２０  金型固定部
２０ａ  円形穴
２０ｂ  底部
２１  針固定部
２３  成型用金型
２４  下金型
２５  上金型
２６  スライドコア
２６ａ  ガイド筒部
２６ｂ  位置決めピン
２７  空洞部
Ｔ  厚み
【図１】
2018146478.tif 000003
【図２】
2018146478.tif 000004
【図３】
2018146478.tif 000005
【図４】
2018146478.tif 000006
【図５】
2018146478.tif 000007